(57)【要約】【課題】  内容液注出後、容器を正立状態に戻した際、注出路をはじめ、中栓内のすべての残留液を容器本体内に流下させ、残留液のパンク現象を防止し、かつ、容器本体の構成が簡単である注出容器を提供すること。【解決手段】  注出容器として、内容液を収納し、スクイズ変形可能な容器本体と、容器本体の口筒部に取着される中栓と、容器口筒部に被嵌されるオーバーキャップとからなる注出容器であって、中栓は、容器本体の口筒部に嵌挿される嵌挿筒部と、注出筒部とからなり、該中栓内には、嵌挿筒部内に設けられた流液室部と、該流液室部の上面から注出筒部の上端まで延びるよう設けられた注出路とを具えており、流液室部の上面の所定の位置に、注出路の下端内周に接続する突部が垂設されていることを特徴とする。【選択図】  図１
2007055659.tif 000002
【特許請求の範囲】
【請求項１】
内容液を収納し、スクイズ変形可能な容器本体と、容器本体の口筒部に取着される中栓と、容器口筒部に被嵌されるオーバーキャップとからなる注出容器であって、
中栓は、容器本体の口筒部に嵌挿される嵌挿筒部と、注出筒部とからなり、
該中栓内には、嵌挿筒部内に設けられた流液室部と、該流液室部の上面から注出筒部の上端まで延びるよう設けられた注出路とを具えており、  
流液室部の上面の所定の位置に、注出路の下端内周に接続する突部が垂設されていることを特徴とする注出容器。
【請求項２】
流液室部の上面に垂設された突部が、注出路の下端内周に接続する稜線を具えた液落としリブであることを特徴とする請求項１記載の注出容器。
【請求項３】
流液室部の上面に垂設された突部が、上面の中心より外側に偏心させた逆円錐形状の突部であって、該突部の傾斜部に、注出路の下端内周に接続する連通孔を設けたことを特徴とする請求項１記載の注出容器。
【発明の詳細な説明】
【技術分野】
【０００１】
本発明は、注出容器、とくに目薬などの内容液を滴下注出することができる注出容器に関するものである。
【背景技術】
【０００２】
目薬などの内容液の注出容器として、中栓と容器本体とからなり、容器を倒立し、容器本体をスクイズすることによって中栓のノズル注出口より内容液を滴下させる容器において、内容液注出後、容器を正立状態に戻した際、中栓内の流路に付着した内容液が残留液となって流路を塞ぎ、次に容器を倒立して内容液を滴下する際に、この残留液と容器内の内容液との間に空気が入り込み、容器本体をスクイズすることで空気を加圧させ、残留液を破裂させ、いわゆるパンク現象を起こし、残留液が注出口より容器外に噴射されるということがあった。
【０００３】
パンク現象を防止するために、容器本体（容器体１）の口筒部（口頸部２）の内周に複数のリブ（リブ５）を設け、内容液注出後、容器を正立状態に戻した際、中栓（注出栓３）内の流路の残留液を容器本体（容器体１）内に流下させるようにした注出容器が提案されている（例えば、特許文献１参照）。
【特許文献１】実開平０２−７４０４０号
【発明の開示】
【発明が解決しようとする課題】
【０００４】
しかしながら、上記特許文献１記載の従来の注出容器は、注出栓３内の下方部の嵌合筒４内に残留する残留液を容器体１内に流下させることができるが、注出孔６の下方部は微小孔７となっているため、注出孔６内に残留液が残る場合があった。
また、容器体１の口頸部２に複数のリブ５を配設しなくてはならず、容器体１の構成が簡単ではなかった。
【０００５】
本発明は、上記の問題を解決することを課題とし、内容液注出後、容器を正立状態に戻した際、注出路をはじめ、中栓内のすべての残留液を容器本体内に流下させ、残留液のパンク現象を防止し、かつ、容器本体の構成が簡単である注出容器を提供することを目的とする。
【課題を解決するための手段】
【０００６】
本発明は、上記課題を解決するために、注出容器として、内容液を収納し、スクイズ変形可能な容器本体と、容器本体の口筒部に取着される中栓と、容器口筒部に被嵌されるオーバーキャップとからなる注出容器であって、中栓は、容器本体の口筒部に嵌挿される嵌挿筒部と、注出筒部とからなり、該中栓内には、嵌挿筒部内に設けられた流液室部と、該流液室部の上面から注出筒部の上端まで延びるよう設けられた注出路とを具えており、流液室部の上面の所定の位置に、注出路の下端内周に接続する突部が垂設されていることを特徴とする構成を採用する。
【０００７】
突部の実施例として、流液室部の上面に垂設された突部が、注出路の下端内周に接続する稜線を具えた液落としリブであることを特徴とする構成、または、流液室部の上面に垂設された突部が、上面の中心より外側に偏心させた逆円錐形状の突部であって、該突部の傾斜部に、注出路の下端内周に接続する連通孔を設けたことを特徴とする構成を採用する。
【発明の効果】
【０００８】
中栓内に、流液室部と、注出路を設け、流液室部の上面の所定の位置に、注出路の下端内周から連設する突部を垂設したことにより、内容液注出後、容器を正立状態に戻した際、流液室部内の内容液を容器本体内に流下させるとともに、流液室部上面に垂設した突部により、注出路内の残留液を容器本体内に流下させることができ、残留液のパンク現象を防止できる。
また、中栓の構成のみで、中栓内の残留液を容器本体内に流下させることができる。
【発明を実施するための最良の形態】
【０００９】
次に、本発明の注出容器の実施形態について、図面を参照して説明する。
図１において、Ａは内容液を収納する容器本体、Ｂは中栓、Ｃはオーバーキャップである。
注出容器内には、内容液として目薬などが収納されている。
【００１０】
容器本体Ａは、図１に示すように、スクイズ変形可能な容器胴部１と、容器胴部１の上部中央に立設された口筒部２とから形成されている。
口筒部２の外周面には、ねじ３が螺設されている。
【００１１】
中栓Ｂは、図１、２に示すように、容器本体Ａの口筒部２の上端に下面が当接する鍔部５と、鍔部５の内周に沿って垂設され、口筒部２内周に嵌挿される嵌挿筒部６と、鍔部５の内周に沿って立設された注出筒部７とからなっている。
嵌挿筒部６の下端は筒端部８となっており、筒端部８は一端の上端部８ａと他端の下端部８ｂにより、斜めに傾斜するように形成されている。
【００１２】
中栓Ｂの内部には、嵌挿筒部６下端から、注出筒部７の下方位置までの流液室部１０と、流液室部１０上面から注出筒部７の上端までの注出路１１とが設けられている。
【００１３】
流液室部１０は、下部内周１５と、下部内周１５上端から段部１６を介して縮径された上部内周１７と、上部内周１７上端の上面１８とからなっている。
段部１６は、嵌挿筒部６の下端は筒端部８と同様に上端部１６ａと下端部１６ｂにより、斜めに傾斜するように形成されている。
上面１８の所定の位置には、注出路１１の下端内周に接続する稜線１９ａを具えた液落としリブ１９が垂設されている。
【００１４】
注出路１１の上端は注出口２０、下端は流液室部１０の上面１８中央から連通する流通口２１となっており、上方に向かい拡径するように形成されている。
【００１５】
オーバーキャップＣは、図１に示すように、上壁部２５と側筒２６とからなり、側筒２６の下方部には、容器本体Ａの口筒部２のねじ３に係合するねじ２７が設けられている。
上壁部２５の下面中央には、中栓Ｂの注出筒部７上端の注出口２０より注出路１１内に嵌挿し、密閉する栓体２８が垂設されている。
【００１６】
次に、本発明の注出容器の作用効果について説明する。
容器を倒立して内容液を滴下後、容器を正立状態に戻したときに、中栓Ｂの注出路１１内に付着残留した内容液は、流通口２１内から接続する液落としリブ１９の稜線１９ａを介して液落としリブ１９先端より容器本体Ａ内に流下することになり、注出路１１を塞ぐことがない。
【００１７】
また、中栓Ｂの流液室部１０内に付着残留した内容液も、流液室部１０内の傾斜した段部１６の下端部１６ｂ、および筒端部８の下端部８ｂを介して容器本体Ａ内に流下することになり、流液室部１０を塞ぐことがない。
【００１８】
したがって、再度容器を倒立して滴下注出するときには、注出路１１内、および流液室部１０内に残留液が残っていないので、残留液により滴下注出が阻害されることはなく、また、パンク現象によって残留液が噴射されることをなくすることができる。
【００１９】
前記実施形態において、中栓Ｂの流液室部１０の上面１８に液落としリブ１９を垂設したが、別実施例として、図３に示すように、流液室部１０の上面１８に、中心より外側に偏心させた逆円錐形状の突部３０を垂設し、突部３０の傾斜部に、注出路１１の流通口２１内周に連続する連通孔３１を設けてもよい。
【００２０】
連通孔３１の内周下端には、突部３０の傾斜部に、上端部３１ａと下端部３１ｂとする傾斜ができ、中栓Ｂの注出路１１内に付着残留した内容液を、連通孔３１の下端部３１ｂを介して突部３０の頂部より容器本体Ａ内に流下させることができるので、前記実施例と同様の作用効果を得ることができる。
【００２１】
本発明の注出容器は、中栓の流液室部と注出路との間の流通口付近に突部を設け、注出路内に付着残留した内容液を容器本体Ａ内に流下させることができ、さらに、液流室部内に付着残留した内容液を容器本体Ａ内に流下させることができればよいので、上記の形態以外にも種々の構成を採用することができる。
【産業上の利用可能性】
【００２２】
本発明の注出容器は、中栓内に内容液が付着残留しないので、内容液使用時に残留液が加圧空気、加圧液によりパンク現象を起して注出口より内容液が噴出することがなく、安心して内容液を使用でき、目薬などの種々の内容液の注出容器として広く利用することができる。
【図面の簡単な説明】
【００２３】
【図１】本発明の注出容器の断面立面図である。
【図２】中栓の説明図で、（ａ）は断面立面図、（ｂ）は底面図である。
【図３】中栓の変形実施例の説明図で、（ａ）は断面立面図、（ｂ）は底面図である。
【符号の説明】
【００２４】
Ａ        容器本体
Ｂ        中栓
Ｃ        オーバーキャップ
１        容器胴部
２        口筒部
３、２７  ねじ
５        鍔部
６        嵌挿筒部
７        注出筒部
８        筒端部
８ａ、１６ａ、３１ａ    上端部
８ｂ、１６ｂ、３１ｂ    下端部
１０      流液室部
１１      注出路
１５      下部内周
１６      段部
１７      上部内周
１８      上面
１９      液落としリブ
１９ａ    稜線
２０      注出口
２１      流通口
２５      上壁部
２６      側筒
２８      栓体
３０      突部
３１      連通孔
【図１】
2007055659.tif 000003
【図２】
2007055659.tif 000004
【図３】
2007055659.tif 000005